(57)【要約】      （修正有）【課題】常に小径状の回転板のみならず大径状の回転板をも確実に回転作動せしめることが出来る、広告器などにおける回転板の回転装置を提供する。【解決手段】広告器２３ａなどの回転板２７に押圧接触して回転作動せしめる所要径の弾性駆動ロ−ラ７ａと、該駆動ロ−ラ７ａを回転駆動せしめるモ−タ６とよりなり、上記駆動ロ−ラ７ａはその外周面が円周方向に沿って凹凸面状に形成された構成よりなる。【選択図】図４
2005173077.tif 000002
【特許請求の範囲】
【請求項１】
広告器などの回転板に押圧接触して回転作動せしめる所要径の弾性駆動ロ−ラと、該駆動ロ−ラを回転駆動せしめるモ−タとよりなり、上記駆動ロ−ラはその外周面が円周方向に沿って凹凸面状に形成されてなることを特徴とする、広告器などにおける回転板の回転装置。 
【請求項２】
駆動ロ−ラは、両側一対の側板間に弾性を有する大径状の円形ロ−ラ部材と小径状の円形仕切板とを交互に同心状に重着せしめることによりその外周面が凹凸面状に形成されてなることを特徴とする、請求項１記載の広告器などにおける回転板の回転装置。
【請求項３】
駆動ロ−ラは所要の歯車機構を介してモ−タにより回転駆動自在とされてなることを特徴とする、請求項１〜２記載の広告器などにおける回転板の回転装置。
【発明の詳細な説明】
【技術分野】
【０００１】
本発明は、広告器や玩具などにおける回転板の回転装置に関する。
【背景技術】
【０００２】
従来より、この種広告器や玩具などにおける回転板を回転せしめる装置としては、本発明者が先に提案した特開平９−２５８６７４号公報記載のものが知られている。
【特許文献１】特開平９−２５８６７４号公報    上記特許文献１記載の発明は、上面に固定軸が立設された所要径の基板と、該基板上に固定軸を介して回転自在に軸着された回転板と、該回転板を所定方向に回転作動せしめる駆動体とよりなり、上記駆動体は前傾状に揺動すべくその基端部が取付け軸を介して回転板の外周縁に軸着されると共に、該駆動体の先端部にはその自重でもって基板上に押圧接触せしめるべく駆動ロ−ラが取付けられた構成よりなるものである。
【０００３】
そして、上述の如く構成された特許文献１記載の発明は、回転板の外周縁に揺動自在に枢着せしめた前傾状駆動体の自重でもって駆動ロ−ラを基板上に押圧接触せしめつつ駆動せしめ、回転板を所定方向に回転作動せしめるものである。
【発明の開示】
【発明が解決しようとする課題】
【０００４】
ところで、特許文献１記載の発明は、駆動ロ−ラが両側一対の側板間に弾性を有する環状ロ−ラ部材を介装せしめたにすぎないものであるから、駆動ロ−ラを基板上に押圧接触して駆動せしめた場合にはその摩擦力が必ずしも充分とは云えず、比較的小径状の回転板を回転作動せしめる場合においてはともかく、大径状の回転板を回転作動せしめる場合には摩擦力が不十分となってスリップしやすく、回転板を確実に回転作動せしめずらいものである。  
【０００５】
本発明は特許文献１記載の発明の課題を解決し、常に小径状の回転板のみならず大径状の回転板をも確実に回転作動せしめることが出来る、広告器などにおける回転板の回転装置を提供しようとするものである。
【課題を解決するための手段】
【０００６】
上記の目的を達成するため、本発明の請求項１記載の発明は、広告器などの回転板に押圧接触して回転作動せしめる所要径の弾性駆動ロ−ラと、該駆動ロ−ラを回転駆動せしめるモ−タとよりなり、上記駆動ロ−ラはその外周面が円周方向に沿って凹凸面状に形成されてなることを特徴とする、広告器などにおける回転板の回転装置を要旨とするものである。
【０００７】
本発明の請求項２記載の発明は、駆動ロ−ラは両側一対の側板間に弾性を有する大径状の円形ロ−ラ部材と小径状の円形仕切板とを交互に同心状に重着せしめることによりその外周面が凹凸面状に形成されてなることを特徴とする、請求項１記載の広告器などにおける回転板の回転装置を要旨とするものである。
【０００８】
本発明の請求項３記載の発明は、駆動ロ−ラは所要の歯車機構を介してモ−タにより回転駆動自在とされてなることを特徴とする、請求項１〜２記載の広告器などにおける回転板の回転装置を要旨とするものである。
【発明の効果】
【０００９】
本発明の請求項１記載の発明は上述のように構成されているから、駆動ロ−ラを広告器などの回転板に押圧接触せしめることにより凹凸面状とされた駆動ロ−ラの外周面がその弾性力に抗して撓み、その反力により回転板に対する摩擦力を大幅にアップせしめることが出来るものであって、ひいては、従来例に比して、小径状回転板のみならず大径状回転板をも常に確実に回転作動せしめることが出来るものである。
【００１０】
本発明の請求項２記載の発明は上述のように構成されているから、外周面が凹凸面状とされた駆動ロ−ラを容易に、しかも、確実に保形性よく形成せしめることが出来るものであって、ひいては、駆動ロ−ラを広告器などの回転板に押圧接触して回転作動せしめるさいには凸状のロ−ラ部材が撓んで大きな摩擦力を生起せしめ、スリップすることなく常に確実に回転板を回転作動せしめることが出来るものである。
【００１１】
本発明の請求項３記載の発明は上述のように構成されているから、モ−タにより駆動ロ−ラを常に定速でもって確実に回転駆動せしめ、広告器などの回転板を正確に回転作動せしめることが出来るものである。
【発明を実施するための最良の形態】
【００１２】
以下に、本発明を実施するための最良の形態を図面に示す一実施例に基づいて説明する
。
【００１３】
図１乃至図６は本発明の一実施例を示すもので、同図中、１は所要の幅と高さを備えた方形体状のケ−シング、２は該ケ−シング１内に一端部が枢軸３を介して回動自在に水平配設された細長な方形体状の歯車ボックス、４は上記枢軸３を支承する軸受、５は枢軸３に巻装された付勢バネで、該付勢バネ５により歯車ボックス２は枢軸３を中心として一側方に常時付勢せしめられている。６は上記歯車ボックス２の枢着側下面に垂設されたモ−タ、７ａは該モ−タ６に歯車ボックス２内の歯車機構８を介して回転作動せしめるべく同自由端側上面に取付け軸９を介して取付けられた駆動ロ−ラで、該駆動ロ−ラ７ａはケ−シング１の一側壁に穿設された開口部１０を通して一部外周縁が外側方に突出せしめられている。そして、上記駆動ロ−ラ７ａは、取付け軸９を介して所要の外径を有する両側一対の側板１１間に弾性を有する大径状の円形ロ−ラ部材１２と、小径状の円形仕切板１３とを交互に重着せしめることによりその外周面が凹凸面状に形成されている。また、歯車ボックス２に内蔵された前記歯車機構８は、モ−タ６の出力取出し軸１４に取付けられた小径状の第１歯車１５と、該第１歯車１５にカミ合された大径状の第２歯車１６と、該第２歯車１６の軸１７に取付けられた小径状の第３歯車１８と、該第３歯車１８にカミ合された大径状の第４歯車１９と、該第４歯車１９の軸２０に取付けられた小径状の第５歯車２１と、該第５歯車２１にカミ合された大径状の第６歯車２２とより構成され、第６歯車２２は前記駆動ロ−ラ７ａの取付け軸９下端に取付けられている。
【００１４】
その他、２３ａは所要の横型広告器、２４は該広告器２３ａを構成する基台、２５は該基台２４上に配設された所要の外径を有する円形状基板、２６は該基板２５の中心に立設された所要高の固定軸、２７は基板２５上に該固定軸２６を介して回転自在に軸着された円形状の回転板で、該回転板２７は基板２５より若干大径状に形成されている。２８は上記回転板２７と基板２５との間に固定軸２６を介して回転自在に介装された円形状の回転補助板で、該回転補助板２８には回転板２７下面と基板２５上面との間に沿って転動せしめるべく所要数の転動体２９が転動自在に保持せしめられている。
【００１５】
そして、上述の如く構成された実施例は、図４に図示するように、広告器２３ａの基台２４上にセットせしめる。そして、付勢バネ５の付勢力により歯車ボックス２を外側方に回動せしめ、駆動ロ−ラ７ａを回転板２７の外周面に押圧接触せしめる。このさい、駆動ロ−ラ７ａを構成する凸状ロ−ラ部材１２は押圧接触によりその外周縁が弾性力に抗して撓み、回転板２７の外周面に強く圧接する（第５図参照）。しかるのち、モ−タ６を起動し、歯車機構８を介して駆動ロ−ラ７ａを回転駆動せしめ、回転板２７を所定方向に回転作動せしめる。このさい、駆動ロ−ラ７ａを構成する凸状ロ−ラ部材１２がその弾性力に抗して撓み、その反力により回転板２７に対する大きな摩擦力を生起せしめるものである
。このため、スリップすることなく回転板２７を常に確実に回転作動せしめることが出来る。
【００１６】
図６は縦型広告器２３ｂへの適用例を示すもので、基台２４上に横向き状にセットせしめ、付勢バネ５の付勢力により歯車ボックス２を外側方に回動せしめつつ駆動ロ−ラ７ａを回転板２７の外周縁に押圧接触せしめたのち、モ−タ６を介して駆動ロ−ラ７ａを回転駆動せしめ、回転板２７を回転作動せしめるものである。
なお、縦型広告器２３ｂは縦型に形成せしめた点が前記横型広告器２３ａと相違し、その他の部分は同一であり、同一符号は同一部分を示す。  
【００１７】
図７は他の実施例を示すもので、駆動ロ−ラ７ｂを構成する両側板１１を小径状に形成せしめ、弾性を有するロ−ラ部材１２を外方突出状に形成せしめた点が前記実施例と相違し、他の部分は同一であり、同一符号は同一部分を示す。
【００１８】
そして、上述の如く構成された実施例は、図８に図示するように、横型広告器２３ａの基台２４上に横向き状にセットせしめる。そして、付勢バネ５の付勢力により歯車ボックス２を上方に回動せしめつつ、駆動ロ−ラ７ｂのロ−ラ部材１２を回転板２７の外周下面に押圧接触せしめたのち、モ−タ６を介して駆動ロ−ラ７ｂを回転駆動せしめ、回転板２７を回転作動せしめる。このさい、ロ−ラ部材１２は押圧接触によりその外周縁が弾性力に抗して撓み、その反力により回転板２７に対する大きな摩擦力を生起せしめるため、スリップすることなく回転板２７を常に確実に回転作動せしめることが出来るものである。
【００１９】
なお、上記実施例において、駆動ロ−ラ７ａ・７ｂを構成するロ−ラ部材１２は円形状とされているが、必要に応じてその外周縁を略鋸歯状に形成せしめ、摩擦力をアップせしめるべく形成してもよいものである。また、歯車機構８は第１歯車１５・第２歯車１６・
第３歯車１８・第４歯車１９・第５歯車２１・第６歯車２２より構成されているが、必要に応じてその歯車個数を増減せしめてもよいものである。さらに、上記実施例を適用せしめる広告器２３ａ・２３ｂは基板２５上に固定軸２６を介して回転板２７を回転自在に軸着するものとされているが、これに限定されるものではなく、例えば、外周縁に沿って所要数のガイドピンを設けた大径状の基板上に回転板をセットせしめ、ガイドピンに沿って回転板を無軸状に回転作動せしめるべく構成せしめた広告器にも適用せしめることが出来るものである。さらに加えて、実施例の適用例として広告器２３ａ・２３ｂを示したが、これに限定されるものでなく、回転板を備えた玩具などにも適用せしめることが出来るものである。   
【図面の簡単な説明】
【００２０】
【図１】本発明の一実施例を示す一部を破断した正面図である。
【図２】図１の一部を破断した側面図である。
【図３】図１の一部を破断した平面図である。
【図４】本発明の使用状態を示す断面図である。
【図５】図４のＡ部拡大断面図である。
【図６】本発明の他の使用状態を示す断面図である。
【図７】本発明の他の実施例を示す一部を破断した正面図である。
【図８】本発明の他の実施例の使用状態を示す断面図である。
【符号の説明】
【００２１】
６    モ−タ
７ａ・７ｂ  駆動ロ−ラ
８    歯車機構
１１  側板
１２  ロ−ラ部材
１３  仕切板
２３ａ・２３ｂ  広告器
２７  回転板
【図１】
2005173077.tif 000003
【図２】
2005173077.tif 000004
【図３】
2005173077.tif 000005
【図４】
2005173077.tif 000006
【図５】
2005173077.tif 000007
【図６】
2005173077.tif 000008
【図７】
2005173077.tif 000009
【図８】
2005173077.tif 000010